(57)【特許請求の範囲】
【請求項１】
ユニット工法により建設される建物に利用される建物ユニットで、
直角三角形の直角な角の位置に立てられた第一柱と、
前記直角三角形の鋭角な２つの角の位置にそれぞれ立てられた第二柱及び第三柱と、
前記第一柱の下端部と前記第二柱の下端部との間に架け渡されて、前記第一柱の下端部及び前記第二柱の下端部に剛結合された第一床梁と、
前記第一柱の下端部と前記第三柱の下端部との間に架け渡されて、前記第一柱の下端部及び前記第三柱の下端部に剛結合された第二床梁と、
前記第一柱の上端部と前記第二柱の上端部との間に架け渡されて、前記第一柱の上端部及び前記第二柱の上端部に剛結合された第一天井梁と、
前記第一柱の上端部と前記第三柱の上端部との間に架け渡されて、前記第一柱の上端部及び前記第三柱の上端部に剛結合された第二天井梁と、
前記第二柱と前記第三柱との間に架け渡されて、前記第二柱及び前記第三柱にピン結合された斜辺天井梁と、を備える建物ユニットであって、
前記斜辺天井梁が前記第一天井梁及び前記第二天井梁から下にずれて配置されて、
前記第一天井梁と前記斜辺天井梁との間に架け渡された補助天井梁を更に備え、
前記補助天井梁が前記第一天井梁及び前記第二天井梁から下にずれて配置されて、
前記建物ユニットの上に上階の建物ユニットが設置されて、
前記上階の建物ユニットは、上階側第一床梁と、上階側第二床梁と、上階側斜辺床梁と、を備え、
前記上階側斜辺床梁が前記上階側第一床梁及び前記上階側第二床梁よりも低い位置に設置されており、
前記上階側斜辺床梁と交差するように当該斜辺床梁の上に根太が、前記上階側第一床梁及び前記上階側第二床梁から上に突き出ないように配置されている
ことを特徴とする建物ユニット。
【請求項２】
請求項１に記載の建物ユニットであって、
前記斜辺天井梁が前記第二柱の上端部と前記第三柱の上端部との間に架け渡されていることを特徴とする建物ユニット。
【請求項３】
請求項１又は２に記載の建物ユニットであって、
前記第一天井梁が前記第二天井梁よりも長い
ことを特徴とする建物ユニット。
【請求項４】
請求項１から３の何れか一項に記載の建物ユニットであって、
前記斜辺天井梁の下方において前記第二柱と前記第三柱との間に架け渡されて、前記第二柱及び前記第三柱にピン結合された斜辺床梁を更に備える
ことを特徴とする建物ユニット。
【請求項５】
請求項４に記載の建物ユニットであって、
前記斜辺床梁が前記第二柱の下端部と前記第三柱の下端部との間に架け渡されている
ことを特徴とする建物ユニット。
【請求項６】
請求項４に記載の建物ユニットであって、
前記斜辺床梁が前記第一床梁及び第二床梁から下にずれて配置されている
ことを特徴とする建物ユニット。
【請求項７】
請求項４から６の何れか一項に記載の建物ユニットであって、
前記第一床梁と前記斜辺床梁との間に架け渡された補助床梁を更に備え、
前記第一床梁が前記第二床梁よりも長い
ことを特徴とする建物ユニット。
【請求項８】
請求項７に記載の建物ユニットであって、
前記補助床梁が前記第一床梁及び前記第二床梁から下にずれて配置されている
ことを特徴とする建物ユニット。
【請求項９】
請求項１から８の何れか一項に記載の建物ユニットであって、
前記上階の建物ユニットは、上階側第一柱、上階側第二柱及び上階側第三柱と、を備え、下階側の前記第一柱、第二柱及び第三柱の上に、前記上階側第一柱、上階側第二柱及び上階側第三柱が一直線上にそれぞれ揃えて連結されていることを特徴とする建物ユニット。
【発明の詳細な説明】
【技術分野】
【０００１】
本発明は、三角柱型の建物ユニットに関する。
【背景技術】
【０００２】
従来、住宅等の建物の下階コーナー部に、玄関やガレージ、テラス等として利用されるピロティ等の開放空間が設けられる場合があった。建物に当該ピロティ等の開放空間を設ける方法として、例えば、箱形の建物ユニットのフレーム内をピロティ等の開放空間とする方式が採用されている（特許文献１参照）。
すなわち、箱形の建物本体の下階コーナー部に凹み状の開放空間を形成しようとする場合に、その部分の建物ユニットを省略してしまうと、直上に位置するバルコニーや部屋、屋根等の直上部を支持できず、建物全体の強度に影響する。ところが、上述のように建物ユニットのフレーム内をピロティ等の開放空間として利用すれば、通常の箱形に並んだユニット構成を崩さずに済み、建物全体の強度にはほとんど影響を与えないという利点がある。
【０００３】
また、略直方体状の建物ユニットを四つ、各建物ユニットそれぞれに定めた一箇所の柱省略コーナー部同士を突き合せて配置し、四つの建物ユニット間に亘る柱無しの大空間を形成するとともに、隣り合う建物ユニット間に補強梁を設けて建物全体を補強するユニット式建物が知られている（特許文献２参照）。
【先行技術文献】
【特許文献】
【０００４】
【特許文献１】特開平０８−１２８１１０号公報
【特許文献２】特開２００２−０５４２３６号公報
【発明の概要】
【発明が解決しようとする課題】
【０００５】
ところで、建物ユニット内をピロティ等の開放空間として利用した場合には、建物ユニットを構成する柱が見えてしまい、開放感や景観性を考慮すると、当該柱を省略したいという要望があった。
そこで、特許文献２に記載のような柱省略コーナー部を備えた建物ユニットを利用することが考えられる。ところが、ユニット式建物の外周に沿って補強梁を取り付けることは容易ではないし、柱を省略してしまうと、直上に位置する部屋やバルコニー等の直上部を支持することが困難になってしまうという問題があった。
【０００６】
また、特許文献２に記載のように、ユニット式建物の内部に柱無しの大空間を形成するに当たっては、各建物ユニットをそれぞれの柱省略コーナー部同士を突き合せた後、現場で、各建物ユニットと補強梁とを連結しなければならない。さらに補強梁は、建物ユニットを構成するその他の梁材とは異なる特殊な形状となっている。そのため、補強梁を製造するための手間やコストがかかったり、現場で補強梁の施工を行う手間がかかったりする場合がある。
【０００７】
以上の点を鑑みると、建物ユニットの一本の柱を省略し、ユニット式建物の外観を変化させたり、ユニット式建物の内部空間を拡張させたりしたいという要望があるものの、柱を省略した建物ユニットを採用するためには、補強梁もセットで採用しなければならない。しかしながら、補強梁もセットで採用するとなると、コストや施工手間の面で、柱を省略した建物ユニットを容易には採用しにくかった。
【０００８】
本発明が解決しようとする課題は、ユニット式建物を構築するに当たって容易に柱を省略することが可能な建物ユニットを提供することである。
【課題を解決するための手段】
【０００９】
請求項１に記載の発明は、図１〜図１２に示すように、ユニット工法により建設される建物５０に利用される建物ユニットであって、直角三角形の直角な角の位置に立てられた第一柱１１と、前記直角三角形の鋭角な２つの角の位置にそれぞれ立てられた第二柱１２及び第三柱１３と、前記第一柱１１の下端部と前記第二柱１２の下端部との間に架け渡されて、前記第一柱１１の下端部及び前記第二柱１２の下端部に剛結合された第一床梁２１と、前記第一柱１１の下端部と前記第三柱１３の下端部との間に架け渡されて、前記第一柱１１の下端部及び前記第三柱１３の下端部に剛結合された第二床梁２２と、前記第一柱１１の上端部と前記第二柱１２の上端部との間に架け渡されて、前記第一柱１１の上端部及び前記第二柱１２の上端部に剛結合された第一天井梁３１と、前記第一柱１１の上端部と前記第三柱１３の上端部との間に架け渡されて、前記第一柱１１の上端部及び前記第三柱１３の上端部に剛結合された第二天井梁３２と、前記第二柱１２と前記第三柱１３との間に架け渡されて、前記第二柱１２及び前記第三柱１３にピン結合された斜辺天井梁３３と、を備えることを特徴とする。
【００１０】
請求項１に記載の発明によれば、第一床梁２１が第一柱１１の下端部及び第二柱１２の下端部に剛結合され、第一天井梁３１が第一柱１１の上端部及び第二柱１２の上端部に剛結合されることによって、矩形枠状のラーメン構造が構成される。第二床梁２２が第一柱１１の下端部及び第三柱１３の下端部に剛結合され、第二天井梁３２が第一柱１１の上端部及び第三柱１３の上端部に剛結合されることによって、矩形枠状のラーメン構造が構成される。これらラーメン構造は第一柱１１を共有しており、上から見ると、Ｌ字型のラーメン構造が構成される。そのようなＬ字型ラーメン構造の第二柱１２及び第三柱１３に斜辺天井梁３３がピン結合されているので、建物ユニット自体の構造的な強度を向上させることができる。そのため、この建物ユニットを用いたユニット式建物を構築するに当たって、例えば従来のような補強梁を用いずとも、容易に柱を省略することができる。
換言すれば、建物ユニットは、それ自体で構造体として成立することになるので、ユニット式建物の中の様々な箇所に適用させることができる。これによって、例えばユニット式建物の外観を変化させたり、補強梁を用いずとも建物内部に大空間を形成できたりする等、略直方体状に形成された通常の建物ユニットでは実現しにくい構成のユニット式建物を構築することができる。
【００１１】
さらに、請求項１に記載の発明は、前記斜辺天井梁３３が前記第一天井梁３１及び前記第二天井梁３２から下にずれて配置されて、
前記建物ユニットの上に上階の建物ユニットが設置されて、前記上階の建物ユニットは、上階側第一床梁２１と、上階側第二床梁２２と、上階側斜辺床梁２３と、を備え、
前記上階側斜辺床梁２３が前記上階側第一床梁２１及び前記上階側第二床梁２２よりも低い位置に設置されており、
前記上階側斜辺床梁２３と交差するように当該斜辺床梁２３の上に根太４１が、前記上階側第一床梁２１及び前記上階側第二床梁２２から上に突き出ないように配置されている
ことを特徴とする。
【００１２】
このように、斜辺天井梁３３が第一天井梁３１及び第二天井梁３２から下にずれて配置されているので、この建物ユニットの上に上階の建物ユニットを設置して、上階の建物ユニットの斜辺床梁２３を上階の建物ユニットの第一床梁２１及び第二床梁２２よりも低い位置に設置しても、その上階の建物ユニットの斜辺床梁２３が下階の建物ユニットの斜辺天井梁３３に干渉しない。そのため、図１１に示すように、根太４１を上階の建物ユニットの斜辺床梁２３と交差するように斜辺床梁２３の上に配置しても、根太４１が上階の建物ユニットの第一床梁２１及び第二床梁２２から上に突き出ないようにすることができる。そのため、上階の建物ユニットの第一床梁２１及び第二床梁２２の上に床材を設置して、その床材が根太４１に確実に支えられる。
【００１３】
また、請求項１に記載の発明は、前記第一天井梁３１と前記斜辺天井梁３３との間に架け渡された補助天井梁３４（又は３５）を更に備えることを特徴とする。
【００１４】
このように、補助天井梁３４（又は３５）が第一天井梁３１と斜辺天井梁３３との間に架け渡されているので、建物ユニット自体の構造的な強度を向上させることができる。
【００１５】
そして、請求項１に記載の発明は、前記補助天井梁３４（又は３５）が前記第一天井梁３１及び前記第二天井梁３２から下にずれて配置されていることを特徴とする。
【００１６】
このように、補助天井梁３４（又は３５）が第一天井梁３１及び第二天井梁３２から下にずれた位置に配置されているので、この建物ユニットの上に上階の建物ユニットを設置して、上階の建物ユニットの斜辺床梁２３を上階の建物ユニットの第一床梁２１及び第二床梁２２よりも低い位置に設置しても、その上階の建物ユニットの斜辺床梁２３が下階の建物ユニットの補助天井梁３４（又は３５）に干渉しない。よって、根太４１を上階の建物ユニットの斜辺床梁２３と交差するように斜辺床梁２３の上に配置して、根太４１が上階の建物ユニットの第一床梁２１及び第二床梁２２から上に突き出ないようにすることができる。そのため、上階の建物ユニットの第一床梁２１及び第二床梁２２の上に床材を設置して、その床材が根太４１に確実に支えられる。
【００１７】
請求項２に記載の発明は、請求項１に記載の建物ユニットであって、前記斜辺天井梁３３が前記第二柱１２の上端部と前記第三柱１３の上端部との間に架け渡されていることを特徴とする。
【００１８】
請求項２に記載の発明によれば、建物ユニット自体の構造的な強度を向上させることができる。
【００１９】
請求項３に記載の発明は、請求項１又は２に記載の建物ユニットであって、前記第一天井梁３１が前記第二天井梁３２よりも長いことを特徴とする。
【００２０】
請求項４に記載の発明は、請求項１から３の何れか一項に記載の建物ユニットであって、前記斜辺天井梁３３の下方において前記第二柱１２と前記第三柱１３との間に架け渡されて、前記第二柱１２及び前記第三柱１３にピン結合された斜辺床梁２３を更に備えることを特徴とする。
請求項４に記載の発明によれば、斜辺床梁２３が第二柱１２及び第二柱１２にピン結合されているので、建物ユニット自体の構造的な強度を向上させることができる。
【００２１】
請求項５に記載の発明は、請求項４に記載の建物ユニットであって、前記斜辺床梁２３が前記第二柱１２の下端部と前記第三柱１３の下端部との間に架け渡されていることを特徴とする。
【００２２】
請求項５に記載の発明によれば、建物ユニット自体の構造的な強度を向上させることができる。
【００２３】
請求項６に記載の発明は、請求項４に記載の建物ユニットであって、前記斜辺床梁２３が前記第一床梁２１及び前記第二床梁２２から下にずれて配置されていることを特徴とする。
【００２４】
請求項６に記載の発明によれば、斜辺床梁２３が第一床梁２１及び第二床梁２２から下
にずれて配置されているため、根太４１を斜辺床梁２３と交差するように斜辺床梁２３の上に配置しても、根太４１が第一床梁２１及び第二床梁２２から上に突き出ないようにすることができる。そのため、第一床梁２１及び第二床梁２２の上に床材を設置して、その床材が根太４１に確実に支えられる。
【００２５】
請求項７に記載の発明は、請求項４から６の何れか一項に記載の建物ユニットであって、前記第一床梁２１と前記斜辺床梁２３との間に架け渡された補助床梁２４（又は２５）を更に備え、前記第一床梁２１が前記第二床梁２２よりも長いことを特徴とする。
【００２６】
請求項７に記載の発明によれば、補助床梁２４（又は２５）が第一床梁２１と斜辺床梁２３との間に架け渡されているので、建物ユニット自体の構造的な強度を向上させることができる。
【００２７】
請求項８に記載の発明は、請求項７に記載の建物ユニットであって、前記補助床梁２４（又は２５）が前記第一床梁２１及び前記第二床梁２２から下にずれて配置されていることを特徴とする。
請求項８に記載の発明によれば、補助床梁２４（又は２５）が第一床梁２１及び第二床梁２２から下にずれて配置されているため、根太４１を補助床梁２４（又は２５）と交差するように補助床梁２４（又は２５）の上に配置しても、根太４１が第一床梁２１及び第二床梁２２から上に突き出ないようにすることができる。そのため、第一床梁２１及び第二床梁２２の上に床材を設置して、その床材が根太４１に確実に支えられる。
【００２８】
請求項９に記載の発明は、請求項１から８の何れか一項に記載の建物ユニットであって、前記上階の建物ユニットは、上階側第一柱１１、上階側第二柱１２及び上階側第三柱１３と、を備え、下階側の前記第一柱１１、第二柱１２及び第三柱１３の上に、前記上階側第一柱１１、上階側第二柱１２及び上階側第三柱１３が一直線上にそれぞれ揃えて連結されていることを特徴とする。
【発明の効果】
【００２９】
本発明によれば、建物ユニット自体の構造的な強度を向上させることができる。そのため、この建物ユニットを用いたユニット式建物を構築するに当たって、例えば従来のような補強梁を用いずとも、容易に柱を省略することができる。このような建物ユニットを用いてユニット工法によってユニット式建物を構築すれば、直方体型の建物ユニットだけでは実現しにくい形状のユニット式建物を構築することができる。
【図面の簡単な説明】
【００３０】
【図１】第１実施形態の建物ユニットを示す斜視図である。
【図２】第２実施形態の建物ユニットを示す斜視図である。
【図３】第３実施形態の建物ユニットを示す斜視図である。
【図４】第４実施形態の建物ユニットを示す斜視図である。
【図５】第４実施形態の変形例の建物ユニットを示す斜視図である。
【図６】第５実施形態の建物ユニットを示す斜視図である。
【図７】第５実施形態の第一変形例の建物ユニットの第一変形例を示す斜視図である。
【図８】第５実施形態の第二変形例の建物ユニットを示す斜視図である。
【図９】第５実施形態の第三変形例の建物ユニットを示す斜視図である。
【図１０】第５実施形態の第四変形例の建物ユニットを示し斜視図である。
【図１１】第５実施形態の二体の建物ユニットを上下に組み合わせた状態を示す斜視図である。
【図１２】第１実施形態の変形例の建物ユニットを示し斜視図である。
【図１３】第１実施形態の建物ユニットと直方体型建物ユニットを用いたユニット式建物の概略断面図である。
【図１４】同ユニット式建物の一階の平面図である。
【図１５】同ユニット式建物の二階の平面図である。
【図１６】直方体型建物ユニットの斜視図である。
【図１７】第１実施形態の建物ユニットと直方体型建物ユニットを用いたユニット式建物の概略平面図である。
【図１８】第１実施形態の建物ユニットと直方体型建物ユニットを用いたユニット式建物の概略平面図である。
【図１９】第１実施形態の建物ユニットを用いたユニット式建物の概略斜視図である。
【図２０】第１実施形態の建物ユニットを用いたユニット式建物の概略平面図である。
【図２１】第１実施形態の建物ユニットを用いたユニット式建物の概略斜視図である。
【発明を実施するための形態】
【００３１】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００３２】
〔第１の実施の形態〕
図１は、建物ユニット（単位骨組み）１の斜視図である。この建物ユニット１は不等辺直角三角柱型に骨組みされたものである。この建物ユニット１はユニット工法により建設されるユニット式建物に利用され、一棟のユニット式建物に利用される建物ユニット１の数は１又は２以上である。ユニット式建物には、建物ユニット１の他に、四本の柱、四本の床梁及び四本の天井梁を直方体状に骨組みすることによって得られた通常の直方体型建物ユニットも利用される。
【００３３】
ユニット工法によりユニット式建物を建設するに際しては、複数の直方体型建物ユニットを基礎の上に格子状に並べて、これら直方体型建物ユニットを連結することによって、ユニット式建物の一階を構築する。必要に応じて、一体又は二体以上の建物ユニット１を一階の直方体型建物ユニットの配列に追加する。ユニット式建物が二階建てである場合には、配列された複数の直方体型建物ユニットの上に複数の直方体型建物ユニットを格子状に並べて、一階の直方体型建物ユニットと二階の直方体型建物ユニットを連結するとともに、二階の直方体型建物ユニットの隣り同士も連結する。必要に応じて、一体又は二体以上の建物ユニット１を二階の直方体型建物ユニットの配列に追加する。ユニット式建物が三階建て以上である場合も、同様である。なお、必要に応じて、外装材が直方体型建物ユニットに取り付けられている。
【００３４】
建物ユニット１は主にユニット式建物の一階に利用される。特に、建物ユニット１はユニット式建物の一階のピロティに利用される。なお、必要に応じて、外装材が建物ユニット１に取り付けられている。
【００３５】
建物ユニット１は、第一柱１１、第二柱１２、第三柱１３、長辺床梁（第一床梁）２１、短辺床梁（第二床梁）２２、長辺天井梁（第一天井梁）３１、短辺天井梁（第二天井梁）３２及び斜辺天井梁３３を備える。
【００３６】
柱１１〜１３は角筒状に形成されており、床梁２１，２２及び天井梁３１〜３３は断面コ字状に形成された所謂溝形鋼である。なお、床梁２１，２２及び天井梁３１〜３３が角筒状に形成されていてもよい。
【００３７】
柱１１，１２，１３の長さは互いに等しい。長辺床梁２１及び長辺天井梁３１の長さが互いに等しい。短辺床梁２２及び短辺天井梁３２の長さが互いに等しい。長辺床梁２１及び長辺天井梁３１は短辺床梁２２及び短辺天井梁３２よりも長い。ここで、柱１１，１２，１３は直方体型建物ユニットの柱の長さに等しく、梁２１，３１の長さは直方体型建物ユニットの四本の床梁及び四本の天井梁のうち長いほうの二本の床梁及び二本の天井梁の長さに等しく、梁２２，３２の長さは直方体型建物ユニットの四本の床梁及び四本の天井梁のうち短いほうの二本の床梁及び二本の天井梁の長さに等しい。
【００３８】
第一柱１１、第二柱１２、長辺床梁２１及び長辺天井梁３１が直角四角形枠状に骨組みされることによって、直角四角形型のラーメン構造２が構築される。第一柱１１、第三柱１３、短辺床梁２２及び長辺天井梁３２が直角四角形枠状に骨組みされることによって、直角四角形型のラーメン構造３が構築される。それらのラーメン構造２，３は第一柱１１を共有しており、それらラーメン構造２，３の組み合わせのラーメン構造は上又は下から見てＬ字型に形作られている。
【００３９】
第一柱１１は、水平面に沿う不等辺直角三角形の直角な角の位置において立てられた状態に設けられている。第二柱１２は、その不等辺直角三角形の小さい鋭角な角の位置において立てられた状態に設けられている。第三柱１３は、その不等辺直角三角形の大きい鋭角な角において立てられた状態に設けられている。
【００４０】
長辺床梁２１の一端部が第一柱１１の下端部に剛結合され、長辺床梁２１の他端部が第二柱１２の下端部に剛結合され、長辺床梁２１が柱１１，１２の下端部間に架け渡されている。長辺天井梁３１の一端部が第一柱１１の上端部に剛結合され、長辺天井梁３２の他端部が第二柱１２の上端部に剛結合され、長辺天井梁３２が柱１１，１２の上端部間に架け渡されている。
【００４１】
短辺床梁２２の一端部が第一柱１１の下端部に剛結合され、短辺床梁２２の他端部が第三柱１３の下端部に剛結合され、この短辺床梁２２が柱１１，１３の下端部間に架け渡されている。短辺天井梁３２の一端部が第一柱１１の上端部に剛結合され、短辺天井梁３２の他端部が第三柱１３の上端部に剛結合され、この短辺天井梁３２が柱１１，１３の上端部間に架け渡されている。
【００４２】
上述の剛結合としては例えば溶接である。溶接以外の接合法によって剛結合を実現してもよい。
【００４３】
斜辺天井梁３３の一端部が第二柱１２の上端部にピン結合され、斜辺天井梁３３の他端部が第三柱１３の上端部にピン結合され、斜辺天井梁３３が柱１２，１３の上端部間に架け渡されている。斜辺天井梁３３は梁２１，２２，３１，３２，３３の中で最も長い。
【００４４】
第一柱１１、第二柱１２、第三柱１３、長辺床梁２１、短辺床梁２２、長辺天井梁３１、短辺天井梁３２及び斜辺天井梁３３の端部をブラケットによって連結してもよいし、直接連結してもよい。
【００４５】
以上のように、梁２１，３１と柱１１，１２の剛結合によって矩形枠状のラーメン構造２が構成され、梁２２，３２と柱１１，１３の剛結合によって矩形枠状のラーメン構造３が構成される。これらラーメン構造２，３は第一柱１１を共有しており、上から見ると、Ｌ字型のラーメン構造が構成される。そのようなＬ字型ラーメン構造の第二柱１２及び第三柱１３に斜辺天井梁３３がピン結合されているので、建物ユニット１自体の構造的な強度を向上させることができる。そのため、この建物ユニット１を用いたユニット式建物を構築するに当たって、例えば従来のような補強梁を用いずとも、容易に柱を省略することができる。
換言すれば、建物ユニット１は、それ自体で構造体として成立することになるので、ユニット式建物の中の様々な箇所に適用させることができる。これによって、例えばユニット式建物の外観を変化させたり、補強梁を用いずとも建物内部に大空間を形成できたりする等、略直方体状に形成された通常の建物ユニットでは実現しにくい構成のユニット式建物を構築することができる。
【００４６】
〔第２の実施の形態〕
図２は建物ユニット１Ａの斜視図である。図２に示す建物ユニット１Ａと図１に示す建物ユニット１との間で互いに対応する構成要素には、同一の符号を付す。建物ユニット１Ａは、建物ユニット１の構成要素のほかに、溝形鋼からなる斜辺床梁２３を更に有する。斜辺床梁２３の一端部が第二柱１２の下端部にピン結合され、斜辺床梁２３の他端部が第三柱１３の下端部にピン結合され、斜辺床梁２３が柱１２，１３の下端部間に架け渡されている。建物ユニット１Ａは、建物ユニット１に斜辺床梁２３を追加したことを除いて、建物ユニット１と同様に設けられている。
【００４７】
この建物ユニット１Ａは、ピン結合された床梁２３を建物ユニット１に追加したものである。そのため、この建物ユニット１Ａの構造的な強度が高い。従って、この建物ユニット１Ａを用いたユニット式建物を構築するに当たって、例えば従来のような補強梁を用いずとも、容易に柱を省略することができる。
【００４８】
〔第３の実施の形態〕
図３は建物ユニット１Ｂの斜視図である。図３は建物ユニット１Ｂの斜視図である。図３に示す建物ユニット１Ｂと図１に示す建物ユニット１との間で互いに対応する構成要素には、同一の符号を付す。建物ユニット１Ｂは、建物ユニット１の構成要素のほかに、溝形鋼からなる補助天井梁３４，３５を更に有する。補助天井梁３４，３５の一端部が長辺天井梁３１に接合され、補助天井梁３４，４５の他端部が斜辺天井梁３３に接合され、補助天井梁３４，３５が天井梁３１，３３間に架け渡されている。上から見て、補助天井梁３４，３５は斜辺天井梁３３に対して垂直であり、補助天井梁３４，３５が互いに平行である。補助天井梁３４，３５と長辺天井梁３１の接合は剛結合又はピン結合であり、補助天井梁３４，３５と斜辺天井梁３３の接合についても同様である。建物ユニット１Ｂは、建物ユニット１に補助天井梁３４，３５を追加したことを除いて、建物ユニット１と同様に設けられている。
なお、補助天井梁の数が１本でもよいし、３本以上でもよい。
【００４９】
この建物ユニット１Ｂは、補助天井梁３４，３５を建物ユニット１に追加したものである。そのため、この建物ユニット１Ｂの構造的な強度が高い。従って、この建物ユニット１Ｂを用いたユニット式建物を構築するに当たって、例えば従来のような補強梁を用いずとも、容易に柱を省略することができる。
【００５０】
〔第４の実施の形態〕
図４は建物ユニット１Ｃの斜視図である。図４に示す建物ユニット１Ｃと図３に示す建物ユニット１Ｂとの間で互いに対応する構成要素には、同一の符号を付す。建物ユニット１Ｃは、建物ユニット１Ｂの構成要素のほかに、溝形鋼からなる斜辺床梁２３及び補助床梁２４，２５を更に有する。この建物ユニット１Ｃの斜辺床梁２３は図２に示す建物ユニット１Ａの斜辺床梁２３と同様に設けられ、建物ユニット１Ｃの斜辺床梁２３の両端部がピン結合によって柱１２，１３の下端部に連結されている。
【００５１】
補助床梁２４，２５の一端部が長辺床梁２１に接合され、補助床梁２４，２５の他端部が斜辺床梁２３に接合され、補助床梁２４，２５が梁２１，２３間に架け渡されている。上から見て、補助床梁２４，２５は斜辺天井梁３３に対して垂直であり、補助床梁２４，２５が互いに平行である。補助床梁２４，２５と長辺床梁２１の接合は剛結合又はピン結合であり、補助床梁２４，２５と斜辺床梁２３の接合についても同様である。
建物ユニット１Ｃは、建物ユニット１Ｂに斜辺床梁２３及び補助床梁２４，２５を追加したことを除いて、建物ユニット１Ｂと同様に設けられている。
なお、補助床梁の数が１本でもよいし、３本以上でもよい。また、補助天井梁３４，３５を設けた上で、補助床梁２４，２５を省略してもよいし（図５に示す建物ユニット１Ｄ参照）、逆に補助天井梁３４，３５を省略した上で、補助床梁２４，２５を設けてもよい。
【００５２】
この建物ユニット１Ｃは斜辺床梁２３、補助床梁２４，２５及び補助天井梁３４，３５を採用したものであるので、この建物ユニット１Ｃの構造的な強度が高い。そのため、この建物ユニット１Ｃを用いたユニット式建物を構築するに当たって、例えば従来のような補強梁を用いずとも、容易に柱を省略することができる。
【００５３】
〔第５の実施の形態〕
図６は、図１に示す建物ユニット１の一部を変更することで得られる建物ユニット１Ｅの斜視図である。図６に示す建物ユニット１Ｅと図１に示す建物ユニット１との間で互いに対応する構成要素には同一の符号を付す。図１に示す建物ユニット１では、斜辺天井梁３３の高さが天井梁３１，３２の高さに揃っていた。それに対して、図６に示す建物ユニット１Ｅでは、斜辺天井梁３３が天井梁３１，３２よりも下にずれて配置され、斜辺天井梁３３が天井梁３１，３２よりも低い位置において柱１２，１３の上部を連結する。斜辺天井梁３３の上面と天井梁３１，３２の上面との段差は、床材を支持する根太の厚さ以上であることが好ましい。
【００５４】
図７は、図２に示す建物ユニット１Ａの一部を変更することで得られる建物ユニット１Ｆの斜視図である。図７に示す建物ユニット１Ｆと図２に示す建物ユニット１Ａとの間で互いに対応する構成要素には、同一の符号を付す。図７に示す建物ユニット１Ｆでは、斜辺天井梁３３に加えて斜辺床梁２３も床梁２１，２２よりも下にずれて配置され、斜辺床梁２３が床梁２１，２２よりも低い位置において柱１２，１３を連結する。
【００５５】
図８は、図３に示す建物ユニット１Ｂの一部を変更することで得られる建物ユニット１Ｇの斜視図である。図８に示す建物ユニット１Ｇと図２に示す建物ユニット１Ｂとの間で互いに対応する構成要素には、同一の符号を付す。図８に示す建物ユニット１Ｇでは、斜辺天井梁３３に加えて補助天井梁３４，３５も天井梁３１，３２よりも下にずれて配置されている。
【００５６】
図９は、図４に示す建物ユニット１Ｃの一部を変更することで得られる建物ユニット１Ｈの斜視図である。図９に示す建物ユニット１Ｈと図４に示す建物ユニット１Ｃとの間で互いに対応する構成要素には、同一の符号を付す。図９に示す建物ユニット１Ｈでは、斜辺天井梁３３、補助天井梁３４，３５及び斜辺床梁２３に加えて、補助床梁２４，２５も床梁２１，２２よりも下にずれて配置されている。なお、補助天井梁３４，３５を設けた上で、補助床梁２４，２５を省略してもよいし（図１０に示す建物ユニット１Ｉ参照）、逆に補助天井梁３４，３５を省略した上で、補助床梁２４，２５を設けてもよい。
【００５７】
以上に、図６〜図９を参照して幾つかの形態について説明したが、他の形態も含めて、まとめると次の表のようになる。
【００５８】
【表１】
0006444689.tif 000002
【００５９】
【表２】
0006444689.tif 000003
【００６０】
上述の表の形態ｆ〜形態ｓにおいて、斜辺床梁３２及び補助床梁３４，３５を省略したものとしてもよい。また、上述の表の形態ｆ〜形態ｓにおいて、斜辺床梁３２を省略せずに、補助床梁３４，３５を省略してもよい。
【００６１】
以上のように斜辺床梁２３、補助床梁２４，２５、斜辺天井梁３３及び補助天井梁３４，３５を下にずらして配置することは、床材及び根太を建物ユニット１Ｅ〜建物ユニット１Ｈに取り付ける場合に有効的である。そのことについて以下に具体的に説明する。
【００６２】
図１１に示すように、複数本の根太４１，…を建物ユニット１Ｈに取り付ける場合には、次のようにする。まず、建物ユニット１Ｈを組み立てる。具体的には、長辺床梁２１の両端部を柱１１，１２の下端部に剛結合し、長辺天井梁３１の両端部を柱１１，１２の上端部に剛結合し、短辺床梁２２の両端部を柱１１，１３の下端部に剛結合し、短辺天井梁３２の両端部を柱１１，１３の上端部に剛結合する。斜辺床梁２３を床梁２１，２２よりも低い位置に配置して、斜辺床梁２３の両端部を柱１２，１３にピン結合する。補助床梁２４，２５を床梁２１，２２よりも低い位置に配置して、補助床梁２４，２５の両端部を梁２１，２３に接合する。補助天井梁３４，３５を天井梁３１，３２よりも低い位置に配置して、補助天井梁３４，３５の両端部を梁３１，３３に接合する。
【００６３】
次に、柱１９、床梁２８，２９及び天井梁３８，３９を建物ユニット１Ｈに取り付けて、直方体型の骨組みを組み立てる。具体的には、床梁２８の両端部を柱１２，１９の下端部に剛結合し、床梁２９の下端部を柱１３，１９の下端部に剛結合し、天井梁３８の両端部を柱１２，１９の上端部に剛結合し、天井梁３９の下端部を柱１３，１９の上端部に剛結合する。ここで、床梁２８及び天井梁３８は床梁２２及び天井梁３２と長さが等しく、床梁２９及び天井梁３９は床梁２１及び天井梁３１と長さが等しい。
【００６４】
次に、補助床梁２６，２７を床梁２１，２２，２８，２９よりも低い位置に配置して、補助床梁２６，２７の両端部を床梁２３，２９に接合する。ここで、上から見て、補助床梁２６，２７を斜辺床梁２３に対して垂直にし、補助床梁２６と補助床梁２４を一直線状に揃え、補助床梁２７と補助床梁２５を一直線状に揃える。
【００６５】
次に、根太４１，…を短辺床梁２２，２８に対して平行にして、それら根太４１，…を長辺床梁２１と長辺床梁２９との間に架け渡し、根太４１，…の両端を長辺床梁２１，２９に接合する。斜辺床梁２３及び補助床梁２４，２５，２６，２７が床梁２１，２２，２８，２９よりも低い位置に設けられているので、根太４１，…を斜辺床梁２３及び補助床梁２４，２５，２６，２７の上に配置し、根太４１，…が床梁２１，２２，２８，２９の上面から上に突出しないようにすることができる。好ましくは、根太４１，…の上面を床梁２１，２２，２８，２９の上面に揃える。
【００６６】
次に、床材を床梁２１，２２，２８，２９及び根太４１，…の上に敷設する。根太４１，…が床梁２１，２２，２８，２９の上面から上に突き出ていないので、床材を安定して床梁２１，２２，２８，２９及び根太４１，…の上に設置することができる。
【００６７】
その後、柱１９、床梁２８，２９及び天井梁３８，３９を取り付けた建物ユニット１Ｈを建物ユニット１Ｆの上に設置して、建物ユニット１Ｈと建物ユニット１Ｆを連結する。
建物ユニット１Ｈの上に建物ユニット１Ｆを設置するに際して、建物ユニット１Ｆの第一柱１１と建物ユニット１Ｈの第一柱１１を一直線状に揃える。建物ユニット１Ｆの第二柱１２と建物ユニット１Ｈの第二柱１２についても同様であり、建物ユニット１Ｆの第三柱１３と建物ユニット１Ｈの第三柱１３についても同様である。そのため、建物ユニット１Ｈの斜辺床梁２３は建物ユニット１Ｆの斜辺天井梁３３の上に重なる。ここで、建物ユニット１Ｆの斜辺天井梁３３が天井梁３１，３２よりも低い位置に設けられているので、建物ユニット１Ｈの斜辺床梁２３が床梁２１，２２よりも低い位置に設けられていても、建物ユニット１Ｆの斜辺天井梁３３と建物ユニット１Ｈの斜辺床梁２３が干渉し合わない。
【００６８】
柱１９、床梁２８，２９及び天井梁３８，３９を取り付けた建物ユニット１Ｈと建物ユニット１Ｆの組み合わせはユニット式建物に利用され、建物ユニット１Ｆがユニット式建物の一階の一部を構成し、建物ユニット１Ｈ、柱１９、床梁２８，２９及び天井梁３８，３９が二階の一部を構成する。そのユニット式建物の二階部分（特に、柱１９、床梁２８，２９及び天井梁３８，３９の部分）が一階部分（特に、建物ユニット１Ｆの部分）よりも外側にはみ出しており、そのような構造をオーバーハングという。例えば、建物ユニット１Ｆは一階のピロティに利用され、建物ユニット１Ｈはピロティの上に利用される。
【００６９】
〔第１〜第６の実施の形態の変形例（１）〕
以上、建物ユニット１，１Ａ〜１Ｉについて説明したが、建物ユニット１，１Ａ〜１Ｉを左右反転させてもよい。つまり、鉛直面に関して建物ユニット１，１Ａ〜１Ｉと面対称となる建物ユニット（建物ユニット１，１Ａ〜１Ｉの鏡像体）も本願の明細書によって開示されたものである。
【００７０】
〔第１〜第６の実施の形態の変形例（２）〕
図１２に示すように、斜辺天井梁３３をラチス状の梁に変更してもよい。すなわち、斜辺天井梁３３は、上弦材３３ａと、下弦材３３ｂと、上弦材３３ａと下弦材３３ｂとの間にジグザグに設けられるラチス材３３ｃと、を備える。
このようなラチス状の斜辺天井梁３３は、ラチス材３２ｃをジグザグに設けることでトラス構造となっている。そのため、天井部分の長辺と短辺よりも長い斜辺部分の剛性を高めることができ、建物ユニット１を補強することができる。建物ユニット１が一つの構造体として、より取り扱いやすくなる。また、ラチス状の斜辺天井梁３３を採用した建物ユニット１の上に別の建物ユニットを設置した場合、その別の建物ユニットをより確実に支持することができる。
なお、建物ユニット１Ａ〜１Ｉでも、斜辺天井梁３３をラチス状の梁に変更してもよい。
【００７１】
〔ユニット工法により構築されるユニット式建物の具体例（１）〕
建物ユニット１，１Ａ〜１Ｉの何れかを利用したユニット式建物について説明する。
図１３はユニット式建物５０の概略縦断面図であり、図１４はユニット式建物５０の一階の平面図であり、図１５はユニット式建物５０の二階の平面図である。このユニット式建物５０は、建物ユニット１を利用するとともに、建物ユニット１を左右反転させた建物ユニット１Ｒを利用したものである。但し、建物ユニット１を建物ユニット１Ａ〜１Ｉの何れかに変更してもよい。また、建物ユニット１Ａ〜１Ｉの何れかを左右反転させて、建物ユニット１Ｒに利用してもよい。
【００７２】
ユニット式建物５０は建物本体５２及び屋根６４を有する。建物本体５２は、複数の通常の直方体型建物ユニット８０，…及び建物ユニット１，１Ｒを基礎の上に格子状に組み合わせるとともに、それら建物ユニット８０，…及び建物ユニット１，１Ｒの配列の上に建物ユニット８０，…を格子状に組み合わせたものである。ここで、建物ユニット１，１Ｒは、一階の建物ユニット８０，…及び建物ユニット１，１Ｒの配列のうち角に配置される。屋根６４は、建物本体５２の上部に設けられる。
【００７３】
上階に設けられた通常の直方体型建物ユニット８０の上には、図１３に示すように、矩形枠状に形成された小屋パネル６５が設置されている。さらに、当該小屋パネル６５上に屋根束等の屋根支持部材６６が設置されており、屋根６４が屋根支持部材６６によって支持されている。
このように通常の直方体型建物ユニット８０の上に小屋パネル６５を設置したうえで屋根６４を設ければ、小屋パネル６５によって屋根６４の荷重を分散できるので好ましい。
【００７４】
図１６は直方体型建物ユニット８０の斜視図である。図１３及び図１６に示すように、直方体型建物ユニット８０は、図２，図４等に示すように、骨組みとして、四隅に設けられた四本の柱８１，…と、二本の長辺天井梁８２，８２と、二本の短辺天井梁８３，８３と、二本の長辺床梁８４，８４と、二本の短辺床梁８５，８５とを備える。長辺天井梁８２，８２及び短辺天井梁８３が柱８１，…の上端間を連結し、長辺床梁８４，８４及び短辺床梁８５，８５が柱８１，…の下端間を連結し、柱８１，…、長辺天井梁８２，８２、短辺天井梁８３，８３、長辺床梁８４，８４及び短辺床梁８５，８５が直方体状に組まれている。すなわち、直方体型建物ユニット８０の骨組みは直方体状に形成され、柱８１や各梁８２〜８５に省略された部分がない状態となっている。直方体型建物ユニット８０の上端部が梁８２，８２，８３，８３によって矩形枠状に骨組みされ、直方体型建物ユニット８０の下端部が梁８４，８４，８５，８５によって矩形枠状に骨組みされている。
そして、ユニット式建物５０を構築する上で、直方体型建物ユニット８０が基本形状の建物ユニット（通常の建物ユニット）として用いられている。
なお、ユニット式建物５０に用いられる箇所に応じて、当該直方体型建物ユニット８０のサイズ（柱８１や各梁２２〜２５の長さ）は適宜変更されるが、説明の便宜上、符号は同一とする。
また、各柱８１と各梁８２〜８５とは、各柱８１の端部と各梁８２〜８５の端部が接合される柱梁接合部材８６（ダイヤフラム、仕口とも言う）を介して連結されてもよい（図１３参照）。
【００７５】
また、柱８１は角筒状に形成されており、各梁８２〜８５は断面コ字状に形成された所謂溝形鋼である。
【００７６】
ユニット式建物５０の間取りについて説明する。
一階の中央南側には、建物ユニット１，１Ｒの第三柱１３，１３をポーチ柱５３ａ，５３ａとした玄関ポーチ５３が配設されている。
玄関ポーチ５３の西側には、ユニット式建物５０の下階コーナー部Ｃ１に相当する部分の柱が取り除かれた状態のピロティ５４（すなわち、開放空間）が配設されている。
玄関ポーチ５３の東側には、ユニット式建物５０の下階コーナー部Ｃ２に相当する部分の柱が取り除かれた状態のカーポート出入口５５（すなわち、開放空間）が配設されている。当該カーポート出入口５５の北側にはカーポート５６が配設されている。
なお、柱が取り除かれた状態の開放空間であるピロティ５４およびカーポート出入口５５は建物ユニット１，１Ｒによって構成されている。すなわち、建物ユニット１，１Ｒの上に通常の直方体型建物ユニット８０，８０等の直上部が設置されている。
また、玄関ポーチ５３と、ピロティ５４と、カーポート出入口５５は、建物正面における一続きのピロティ状空間として認識される。
【００７７】
玄関ポーチ５３およびピロティ５４の北側であって、かつカーポート５６の西側には、ユニット式建物５０の屋内空間がある。当該屋内空間における玄関ポーチ５３の北側には玄関土間および玄関ホールを含む玄関５７が配設されている。また、当該玄関５７には、一階と二階とを行き来するための階段５７ａが設けられている。
玄関５７の北側から西側にかけて、平面視略Ｌ字状に形成されたコミュニティポーチ５８が配設されている。コミュニティポーチ５８の周囲の外壁には窓が複数設けられており、当該窓を開放することによって、コミュニティポーチ５８を屋外に開けた開放的な空間として人に認識させることができる。
【００７８】
階段５７ａを上がった先には、二階の中央に位置するホール５９が配設されている。ホール５９の南側には、浴室・洗面所・トイレを有するサニタリー６０が配設されている。また、当該サニタリー６０の南側には、バルコニー６０ａが配設されている。
ホール５９の北側にはキッチン６１が配設されている。また、当該キッチン６１、ホール５９、サニタリー６０、バルコニー６０ａの西側には、リビングルームとダイニングルームの機能を一室に併存させた部屋６２が配設されている。また、当該部屋６２の西側にはバルコニー６２ａが配設されている。
ホール５９、サニタリー６０、バルコニー６０ａ、キッチン６１の東側には主寝室６３が配設されている。また、当該主寝室６３の東側にはバルコニー６３ａが配設されており、当該主寝室６３の北側部分は、小上がりの畳スペース６３ｂとされている。
【００７９】
バルコニー６２ａの北側および南側には部屋６２のための収納部６２ｂ，６２ｂが設けられる。これらバルコニー６２ａおよび収納部６２ｂ，６２ｂは建物本体５２の一階の西側端部よりも外側に張り出しており、オーバーハングした状態となっている。
バルコニー６３ａの北側および南側には主寝室６３のための収納部６３ｃ，６３ｃ，６３ｃが設けられる。これらバルコニー６３ａおよび収納部６３ｃ，６３ｃ，６３ｃは建物本体５２の一階の東側端部よりも外側に張り出しており、オーバーハングした状態となっている。
【００８０】
これらオーバーハング部分を構成する建物ユニットとしては、前記直方体型建物ユニット８０よりもサイズが小さく設定され、かつ隣接する直方体型建物ユニット８０に連結されるハンガーユニット９０が用いられている。ハンガーユニット９０は、直方体型建物ユニット８０に比して全体のサイズは小さいものの、直方体型建物ユニット８０と略同様の形状の部材によって構成されているものとする。
ユニット式建物５０においては、ピロティ５４およびカーポート出入口５５、ハンガーユニット９０の箇所を除いて、当該直方体型建物ユニット８０が用いられている。
【００８１】
なお、ピロティ５４の直上には、前記部屋６２の南側端部がある。すなわち、部屋６２の南側端部を構成する直方体型建物ユニット８０は、ピロティ５４を構成する建物ユニット１の直上部として設けられている。
また、カーポート出入口５５の直上には、前記主寝室６３の南側端部がある。すなわち、主寝室６３の南側端部を構成する直方体型建物ユニット８０は、カーポート出入口５５を構成する建物ユニット１の直上部として設けられている。
本実施の形態においては直上部として、直方体型建物ユニット８０（その内部に設けられる部屋６２，６３）を例に挙げたが、これに限られるものではなく、適宜変更可能である。例えばバルコニーを形成するためのバルコニーユニットや屋根等を直上部としてもよい。
【００８２】
このようなユニット式建物５０は、建物ユニット１を含んで構成されるので、当該ユニット式建物５０を構築するに当たって、例えば従来のような補強梁を用いずとも、容易に柱を省略することができる。
換言すれば、建物ユニット１は、それ自体で構造体として成立しているので、ユニット式建物５０の中の様々な箇所に適用させることができる。これによって、例えばユニット式建物５０の外観を変化させたり、補強梁を用いずとも建物内部に大空間を形成できたりする等、略直方体状に形成された通常の直方体型建物ユニット８０のみでは実現しにくい構成のユニット式建物５０を構築することができる。
また、建物ユニット１の上に、通常の直方体型建物ユニット８０が設置されているので、当該通常の直方体型建物ユニット８０を、建物ユニット１に対してオーバーハングするように設置でき、通常の直方体型建物ユニット８０の下方に、柱が無い状態の開放空間を形成することができる。これによって、下階コーナー部Ｃ１，Ｃ２における開放感や景観性を向上させることが可能となる。
なお、本実施の形態のユニット式建物５０は、複数階建てであるとしたが、これに限られるものではなく、平屋のユニット式建物であってもよい。その場合、下階コーナー部Ｃ１，Ｃ２は、平屋のユニット式建物における一階のコーナー部を指す。また、建物ユニット１の直上部としては、直方体型建物ユニット８０ではなく、屋根６４を構成する屋根ユニットや庇等のようなその他の直上部が設けられる。
【００８３】
通常の直方体型建物ユニット８０と建物ユニット１とが上下に配置され、通常の直方体型建物ユニット８０と建物ユニット１Ｒとが上下に配置されており、建物ユニット１，１Ｒの直上部となる通常の直方体型建物ユニット８０，８０をオーバーハングさせることができる。
【００８４】
建物ユニット１，１Ｒの剛性が高いので、建物ユニット１，１Ｒの直上に直方体型建物ユニット８０等の直上部をオーバーハングさせて設置でき、これを確実に支持することができる。したがって、直上部の下方に、柱が無い状態の開放空間を形成することができ、下階コーナー部Ｃ１，Ｃ２における開放感や景観性を向上させることが可能となる。
【００８５】
ユニット式建物５０の変形例について説明する。
図１７は、ユニット式建物５０の一部を変更することによって得られるユニット式建物５０Ａの概略平面図である。図１７に示すように、ユニット式建物５０Ａの一階及び二階のコーナー部Ｃ３に斜辺を外側に向けて建物ユニット１が配置されており、当該建物ユニット１は、自身の斜辺天井梁３３に沿うようにして配置される外壁面４２を有する。そして、二階の建物ユニット１の外壁面４２にバルコニー６７が設けられている。すなわち、バルコニー１７は、平面視において外壁面４２に対して直交する方向（９０度）に設けられることになる。
なお、バルコニー１７は、図示の例では平面視矩形状に形成されているが、その他の形状でもよい。
このように二階の建物ユニット１の外壁面４２にバルコニー１７を設ければ、ユニット式建物５０Ａのコーナー部Ｃ３に、斜めに配置されるバルコニー１７を設置することができる。これによって、ユニット式建物５０Ａの外観がユニット式建物５０の外観と変わったものとなる。すなわち、ユニット式建物５０Ａの外観は直方体型建物ユニット８０のみでは実現しにくいものであり、そのような外観のユニット式建物５０Ａを簡単に構築することができる。
【００８６】
図１８は、ユニット式建物５０の一部を変更することによって得られたユニット式建物５０Ｂの概略平面図である。
より詳細に説明すると、建物ユニット１の上に設置される通常の直方体型建物ユニット８０として、建物ユニット１の斜辺天井梁３３に沿うようにして配置される外壁面８９を有するものを使用する。
そして、ユニット式建物５０のコーナー部Ｃ４の直方体型建物ユニット８０の角に、外壁面８９の外側に配置され、かつ下方に支持部が無く、平面視略直角三角形状に形成されたバルコニー１８を設けるようにする。すなわち、一階の建物ユニット１によって、バルコニー１８を有する直方体型建物ユニット８０を確実に支持することができる。
これによって、ユニット式建物５０Ｂのコーナー部Ｃ４に、下方に支持部の無い平面視略直角三角形状のバルコニー１８を設置することができる。これによって、ユニット式建物５０Ｂの外観がユニット式建物５０の外観から変化したものとなる。すなわち、ユニット式建物５０Ｂの外観は直方体型建物ユニット８０のみでは実現しにくいものであり、そのような外観のユニット式建物５０Ｂを簡単に構築することができる。また、バルコニー１８の下方に柱が無い状態の開放空間を形成することができる。
【００８７】
〔ユニット工法により構築されるユニット式建物の具体例（２）〕
二体以上の建物ユニット１（建物ユニット１の代わりに、建物ユニット１Ａ〜１Ｉの何れかでもよい。以下、同じ。）を組み合わせる。或いは、二体以上の建物ユニット１Ｒ（建物ユニット１Ｒの代わりに、建物ユニット１Ａ〜１Ｉの何れかの対称体でもよい。以下、同じ。）を組み合わせる。或いは、一体以上の建物ユニット１と、一体又は二体以上の建物ユニット１Ｒを組み合わせる。或いは、一体又は二体以上の直方体型建物ユニット８０と、一体又は二体以上の建物ユニット１とを組み合わせる。一体又は二体以上の直方体型建物ユニット８０と、一体又は二体以上の建物ユニット１Ｒとを組み合わせる。或いは、一体又は二体以上の直方体型建物ユニット８０と、一体又は二体以上の建物ユニット１と、一体又は二体以上の建物ユニット１Ｒを組み合わせる。以上のような各種の組み合わせによって、ユニット式建物の形状の多様性が向上する。
以下に、幾つかの例を挙げて説明する。
【００８８】
図１９に示すように、二体の建物ユニット１，１と二体の建物ユニット１Ｒ，１Ｒを使用すれば、図１９に示すように、中央に柱が無い大空間Ｓ１を形成することができる。すなわち、建物ユニット１，１の第一柱１１，１１が長方形の対角に配置され、建物１Ｒ，１Ｒの第一柱１１，１１が長方形の別の対角に配置され、長方形の短辺に沿って隣り合う建物ユニット１，１Ｒの第三柱１３，１３同士が隣接し、長方形の短辺に沿って隣り合う建物ユニット１，１Ｒの第二柱１２，１２同士が隣接し、建物ユニット１の建物ユニット１，１の斜辺同士が対向し、建物ユニット１Ｒ，１Ｒの斜辺同士が対向する。そして、建物ユニット１、１，１Ｒ，１Ｒの内側に形成される空間Ｓ１が、中央に柱が無い大空間Ｓ１とされている。建物ユニット１，１，１Ｒ，１Ｒのいずれの上にも、通常の直方体型建物ユニット８０等の直上部を設けることができる。
【００８９】
図１９に示す例は、建物ユニット１，１，１Ｒ，１Ｒを、外形が平面視矩形状となるように前後・左右に配置したものであり、建物ユニット１，１，１Ｒ，１Ｒの斜辺天井梁３３，…が菱形の辺を成すように配置されている。このように建物ユニット１，１，１Ｒ，１Ｒを配置すれば、建物ユニット１，１，１Ｒ，１Ｒの内側に形成される空間Ｓ１は、必然的に、中央に柱が無い大空間となる。そして、建物ユニット１，１，１Ｒ，１Ｒを配置すれば、ユニット式建物５０に、例えば従来のような補強梁を用いずとも、中央に柱が無い大空間を形成することができる。これによって、略直方体状に形成された通常の直方体型建物ユニット８０だけでは実現しにくい構成のユニット式建物５０を容易に構築することができる。
【００９０】
また、３つの建物ユニット１，１，１Ｒを使用すれば、図２０に示すように、入隅部に柱が無い大空間を形成することができる。図２０に示す建物ユニット１，１，１Ｒの配列は、図１９に示す建物ユニット１，１，１Ｒ，１Ｒの配列から１体の建物ユニット１Ｒを除いたものである。そして、建物ユニット１，１，１Ｒの内側に形成される空間Ｓ２は、略Ｌ字型の入隅部Ｌａに柱が無い平面視略Ｌ字状の大空間とされている。建物ユニット１，１Ｒ，１Ｒのいずれの上にも、通常の直方体型建物ユニット８０等の直上部を設けることができる。
【００９１】
図２０に示す例は、建物ユニット１，１，１Ｒを、外形が平面視において略Ｌ字型を象るように前後・左右に配置したものである。このように三つの建物ユニット１を配置すれば、建物ユニット１，１，１Ｒの内側に形成される空間Ｓ２は、必然的に、入隅部Ｌａに柱が無い大空間となる。そして、このように三つの建物ユニット１，１，１Ｒを配置すれば、ユニット式建物５０に、例えば従来のような補強梁を用いずとも、平面視略Ｌ字状の大空間を形成することができる。これによって、略直方体状に形成された通常の直方体型建物ユニット８０では実現しにくい構成のユニット式建物５０を容易に構築することができる。
【００９２】
図２１に示すように、二体の建物ユニット１，１と二体の建物ユニット１Ｒ，１Ｒを使用すれば、平面視菱形形状のユニット式建物が構築される。すなわち、建物ユニット１，１，１Ｒ，１Ｒの第一柱１１，１１，１１，１１を菱形形状の中心に置いて、建物ユニット１，１の斜辺天井梁３３，３３を菱形形状の一方の対辺に置き、建物ユニット１Ｒ，１Ｒの斜辺天井梁３３，３３を他方の対辺に置く。そして、一方の建物ユニット１と一方の建物ユニット１Ｒの短辺同士を隣接させ、他方の建物ユニット１と他方の建物ユニット１Ｒの短辺同士を隣接させ、一方の建物ユニット１と他方の建物ユニット１Ｒの長辺同士を隣接させ、他方の建物ユニット１と一方の建物ユニット１Ｒの短辺同士を隣接させる。なお、一方の建物ユニット１と一方の建物ユニット１Ｒを省略することによって、平面視二等辺三角形状のユニット式建物を構築してもよい。
【００９３】
なお、複数の直方体型建物ユニット８０からなる配列と、図１９〜図２０の何れかに示す配列を組み合わせて、ユニット式建物を構築してもよい。
【符号の説明】
【００９４】
１，１Ａ〜１Ｉ，１Ｒ  建物ユニット
１１  第一柱
１２  第二柱
１３  第三柱
２１  長辺床梁（第一床梁）
２２  短辺床梁（第二床梁）
２３  斜辺床梁
２４，２５  補助床梁
３１  長辺天井梁（第一天井梁）
３２  短辺天井梁（第二天井梁）
３３  斜辺天井梁
３４，３５  補助天井梁
５０，５０Ａ，５０Ｂ  ユニット式建物
【図１】
0006444689.tif 000004
【図２】
0006444689.tif 000005
【図３】
0006444689.tif 000006
【図４】
0006444689.tif 000007
【図５】
0006444689.tif 000008
【図６】
0006444689.tif 000009
【図７】
0006444689.tif 000010
【図８】
0006444689.tif 000011
【図９】
0006444689.tif 000012
【図１０】
0006444689.tif 000013
【図１１】
0006444689.tif 000014
【図１２】
0006444689.tif 000015
【図１３】
0006444689.tif 000016
【図１４】
0006444689.tif 000017
【図１５】
0006444689.tif 000018
【図１６】
0006444689.tif 000019
【図１７】
0006444689.tif 000020
【図１８】
0006444689.tif 000021
【図１９】
0006444689.tif 000022
【図２０】
0006444689.tif 000023
【図２１】
0006444689.tif 000024